(57)【要約】【課題】排泄物を長手方向に拡散させて吸収性能を高めつつ、着用者の体勢等に依らずに、排泄物の幅方向の漏れを抑制することが可能な吸収性物品を提供する。【解決手段】吸収性物品は、吸収体４が表面シート２と重複する重複領域において、表面シートから吸収体に向って厚さ方向に窪み、長手方向に沿って長手方向の中央部を通るように延設され、幅方向に間隔を空けて並んだ一対のエンボス部５、５と、吸収体が表面シートと重複しない非重複領域において、長手方向の中央部における幅方向の両端部に位置し、長手方向に伸縮可能な一対のサイドフラップ１０、１０と、を備える。幅方向において、少なくとも長手方向の中心での一対のエンボス部間の長さの１／２の長さよりも、吸収体における一方の端縁から端縁に対向するサイドフラップにおける外側の端縁までの距離が長い。【選択図】図１
2019198579.tif 000002
【特許請求の範囲】
【請求項１】
長手方向、幅方向及び厚さ方向を有し、表面シートと、裏面シートと、前記表面シートと前記裏面シートの間に位置する吸収体とを備える吸収性物品であって、
前記吸収体が前記表面シートと前記厚さ方向に重複する重複領域において、前記表面シートから前記吸収体に向って前記厚さ方向に窪み、前記長手方向に沿って前記長手方向の中央部を通るように延設され、前記幅方向に間隔を空けて並んだ一対のエンボス部と、
前記吸収体が前記表面シートと前記厚さ方向に重複しない非重複領域において、前記長手方向の中央部における前記幅方向の両端部に位置し、前記長手方向に伸縮可能な一対のサイドフラップと、を備え、
前記幅方向において、平面視で、前記長手方向の中心での前記一対のエンボス部間の長さの１／２の長さよりも、前記吸収体における一方の端縁から当該端縁に対向する前記サイドフラップにおける外側の端縁までの距離が長い、
吸収性物品。
【請求項２】
前記表面シート及び前記裏面シートの前記長手方向の中央部が、平面視で、前記幅方向に括れた形状を有しており、
前記吸収性物品は、前記幅方向の両端部において、前記表面シート及び前記裏面シートの両端部を覆う一対のサイドシートを含み、
前記サイドフラップは、前記サイドシートのうちの、前記表面シート及び前記裏面シートにおける前記幅方向に括れた部分の端縁に対応する部分と、前記幅方向の外側の端縁とで囲まれた部分で形成されている、
請求項１に記載の吸収性物品。
【請求項３】
前記裏面シートの非肌側に粘着部を更に備え、
前記粘着部は、平面視で、前記幅方向における前記吸収体の両端縁の各々の内側に位置し、前記幅方向における前記吸収体の両端縁の各々の外側に位置しない、
請求項１又は２に記載の吸収性物品。
【請求項４】
前記吸収体は、吸収性コアと、前記吸収性コアを包摂するコアラップとを含み、
前記吸収性コアは、高吸収性ポリマーを含み、パルプ繊維を含まない、
請求項１乃至３のいずれか一項に記載の吸収性物品。
【請求項５】
前記吸収体における前記幅方向及び前記長手方向の中心部の厚みは５ｍｍ以内である、
請求項４に記載の吸収性物品。
【請求項６】
前記一対のエンボス部は、平面視で、前記長手方向において中心から両端部に向かうに連れて前記幅方向の互いの距離が増大する形状を有する、
請求項１乃至５のいずれか一項に記載の吸収性物品。
【請求項７】
前記吸収体の前記長手方向の中心における前記幅方向の長さを１００％としたとき、前記一対のエンボス部において、前記長手方向の中心部同士における前記幅方向の距離は２０〜５０％であり、前記長手方向の端縁同士における前記幅方向の距離は３５〜９５％である、
請求項６に記載の吸収性物品。
【請求項８】
前記吸収体は、平面視で、前記長手方向において中心から両端部に向かうに連れて前記幅方向の寸法が増加する形状を有する、
請求項１乃至７のいずれか一項に記載の吸収性物品。
【請求項９】
前記一対のサイドフラップの各々における伸縮可能な領域の前記長手方向の長さは、前記一対のエンボス部の各々における前記長手方向の長さよりも短い、
請求項１乃至８のいずれか一項に記載の吸収性物品。
【請求項１０】
前記一対のサイドフラップの各々は、
前記長手方向に延在し、前記幅方向の外側の端部に位置する第１弾性体と、
前記長手方向に延在し、前記第１弾性体よりも前記幅方向の内側の部分に位置する第２弾性体と、
を含み、
前記幅方向において、平面視で、前記長手方向の中心での前記一対のエンボス部間の長さの１／２の長さよりも、前記吸収体における前記一方の端縁から前記第２弾性体までの距離が長い、
請求項１乃至９のいずれか一項に記載の吸収性物品。
【請求項１１】
前記表面シートは、前記長手方向に延び、前記幅方向に間隔を空けて並んだ複数の凸部と、前記複数の凸部の間に形成された複数の凹部とを備える、
請求項１乃至１０のいずれか一項に記載の吸収性物品。
【請求項１２】
前記一対のサイドシートの各々は、前記長手方向の伸張倍率が１．１〜１．５倍のシートである、
請求項２に記載の吸収性物品。
【請求項１３】
前記吸収体の前記幅方向の中心における前記長手方向の長さを１００％としたとき、前記一対のエンボス部の各々の前記長手方向の長さは３５％〜８５％である、
請求項１乃至１２のいずれか一項に記載の吸収性物品。
【発明の詳細な説明】
【技術分野】
【０００１】
本発明は、吸収性物品に関する。
【背景技術】
【０００２】
表面シートと、裏面シートと、表面シートと裏面シートとの間に位置する吸収体と、を備え、一対のエンボス部を有する吸収性物品が知られている。例えば、特許文献１には、表面シートと、裏面シートと、吸収体と、を備え、一対のエンボス部を有する吸収性物品が開示されている。この吸収性物品は、更に幅方向の両端縁よりも内側の領域に一対の防漏壁を備えている。
【先行技術文献】
【特許文献】
【０００３】
【特許文献１】特開２０１７−２２１６４３号公報
【発明の概要】
【発明が解決しようとする課題】
【０００４】
特許文献１に記載の吸収性物品は一対のエンボス部を有している。そのため吸収性物品が着用者に着用されて、幅方向の両側から両足に挟まれると、吸収性物品の幅方向の中央部が一対のエンボス部を起点として肌側に隆起する。それにより、その幅方向の中央部は着用者の排泄口に当接して、液状の排泄物（例示：尿）を容易に吸収できる。そのとき、その中央部で吸収されない排泄物は、その中央部の周囲から表面シートに沿って幅方向の外側に流れ出るが、肌側へ起立した一対の防漏壁で堰き止められ、一対のエンボス部に沿って長手方向に拡散される。それにより、排泄物を吸収性物品の広い領域で吸収でき、吸収性物品の吸収性能を高めることができる。
【０００５】
ここで、着用者の体勢や足の動きによっては、その隆起した幅方向の中央部よりも幅方向の外側に排泄口がずれる場合が起こり得る。そのとき、排泄物はその中央部よりも外側の部分に直接排出される。その場合でも、排泄物が幅方向における一対の防漏壁の内側に排出されれば、排泄物の漏れは生じ難い。しかし、吸収性物品の着用時には、着用者の体勢や下着への装着のずれなどにより、起立した一対の防漏壁の肌側の端部（自由端）の間口は、通常、吸収性物品の幅よりも狭くなる。それに加えて、防漏壁の肌側の端部が内側に寄ったり、十分に起立しなかったりすることが起こり得る。そのような場合、排泄物が、防漏壁の肌側の端部よりも外側に放出され、あるいは、防漏壁を越えてしまい、吸収性物品の幅方向の外側へ漏れるおそれがある。
【０００６】
そこで、本発明の目的は、吸収性物品において、排泄物を長手方向に拡散させて吸収性能を高めつつ、着用者の体勢等に依らずに、排泄物の幅方向の漏れを抑制することが可能な吸収性物品を提供することにある。
【課題を解決するための手段】
【０００７】
本発明の吸収性物品は次のとおりである。（１）長手方向、幅方向及び厚さ方向を有し、表面シートと、裏面シートと、前記表面シートと前記裏面シートの間に位置する吸収体とを備える吸収性物品であって、前記吸収体が前記表面シートと前記厚さ方向に重複する重複領域において、前記表面シートから前記吸収体に向って前記厚さ方向に窪み、前記長手方向に沿って前記長手方向の中央部を通るように延設され、前記幅方向に間隔を空けて並んだ一対のエンボス部と、前記吸収体が前記表面シートと前記厚さ方向に重複しない非重複領域において、前記長手方向の中央部における前記幅方向の両端部に位置し、前記長手方向に伸縮可能な一対のサイドフラップと、を備え、前記幅方向において、平面視で、前記長手方向の中心での前記一対のエンボス部間の長さの１／２の長さよりも、前記吸収体における一方の端縁から当該端縁に対向する前記サイドフラップにおける外側の端縁までの距離が長い、吸収性物品。
【０００８】
本吸収性物品は、重複領域の長手方向の中央部に一対のエンボス部を備えている。そのため、吸収性物品が着用者に着用され、その長手方向の中央部が幅方向の両側から両足に挟まれることで、その長手方向の中央部における幅方向の中央部を一対のエンボス部を起点として長手方向に沿って肌側に容易に隆起させることができる。それにより、隆起した幅方向の中央部を、排泄口に密着させて、その中央部に液状の排泄物を容易に吸収させることができる。
また、本吸収性物品は、非重複領域の長手方向の中央部において、幅方向の両端部に、長手方向に伸縮可能な一対のサイドフラップを備えている。そのため、一対のサイドフラップの伸縮により、その幅方向の両端部の各々において、吸収性物品における吸収体の端縁から当該端縁に対向するサイドフラップの外側の端縁までの部分を肌側へ起立させることができる。すなわち、吸収性物品の幅方向の両端部を起立させて一種の防漏壁として機能させることができる。それにより、幅方向の中央部から表面シートに沿って幅方向の外側へ流れ出た排泄物を幅方向の両端部、すなわち吸収性物品における吸収体の両端縁から外側の部分（一対のサイドフラップを含む）で堰き止め、一対のエンボス部に沿って長手方向に拡散させることができる。それにより、排泄物を吸収性物品の広い領域で吸収でき、吸収性物品の吸収性能を高めることができる。
そのとき、幅方向において、吸収体の端縁からサイドフラップの外側の端縁までの距離が、一対のエンボス部間の長さの１／２の長さよりも長くなっている。したがって、幅方向Ｗにおいて、一対のサイドフラップを含む吸収性物品の両端部を、中央部よりも肌側へより高く起立させることができる。それにより、吸収性物品の長手方向の中央部において、一対のサイドフラップにおける幅方向の外側の端部を確実に着用者の股下の肌面に密着させることができる。それに加えて、幅方向において、サイドフラップの外側の端部は、吸収性物品の最も外側に位置するため、着用者の体勢等によって排泄口が中央部から外れても、一対のサイドフラップの両外側の両端部間にほぼ収めることができる。更に、起立したサイドフラップの幅方向の外側の端部が内側に寄ってしまう、あるいは、サイドフラップなどが十分に起立しないといったことも生じ難くすることができる。それにより、排泄物が幅方向の外側に放出され、あるいは、防漏壁を越えてしまい、吸収性物品の外側へ漏れる、ということを確実に抑制できる。
【０００９】
本発明の吸収性物品は、（２）前記表面シート及び前記裏面シートの前記長手方向の中央部が、平面視で、前記幅方向に括れた形状を有しており、前記吸収性物品は、前記幅方向の両端部において、前記表面シート及び前記裏面シートの両端部を覆う一対のサイドシートを含み、前記サイドフラップは、前記サイドシートのうちの、前記表面シート及び前記裏面シートにおける前記幅方向に括れた部分の端縁に対応する部分と、前記幅方向の外側の端縁とで囲まれた部分で形成されている、上記（１）に記載の吸収性物品、でもよい。
本吸収性物品では、表面シート及び裏面シートの長手方向の中央部が幅方向に括れて、一対のサイドフラップが括れの幅方向の両外側を覆うように一対のサイドシートで形成されている。すなわち、一対のサイドフラップの大部分が表面シート及び裏面シートを含まずに一対のサイドシートで形成されている。したがって、一対のサイドフラップを相対的に薄くすること、すなわち低剛性にすることができる。それにより、一対のサイドフラップを、肌側へより容易に起立させることができると共に、一対のサイドフラップの外側の端部を着用者の股下の肌面により容易に密着させることができる。よって、排泄物が幅方向の外側に放出され、あるいは、防漏壁を越えてしまい、吸収性物品の外側へ漏れる、ということをより確実に抑制できる。
【００１０】
本発明の吸収性物品は、（３）前記裏面シートの非肌側に粘着部を更に備え、前記粘着部は、平面視で、前記幅方向における前記吸収体の両端縁の各々の内側に位置し、前記幅方向における前記吸収体の両端縁の各々の外側に位置しない、上記（１）又は（２）に記載の吸収性物品、でもよい。
本吸収性物品では、吸収性物品を下着に固定するための粘着部が、平面視で幅方向における吸収体の両端縁の各々の内側に位置し、外側に位置しない。すなわち、吸収体の端縁から当該端縁に対向するサイドフラップの外側の端縁までの部分を、粘着部で下着に固定させない。それゆえ、吸収性物品における吸収体の両端縁から外側の部分（一対のサイドフラップを含む）を、肌側へより容易に起立させることができる。それにより、一対のサイドフラップの外側の端部を着用者の股下の肌面に確実に密着させることができる。よって、排泄物が幅方向の外側に放出され、あるいは、防漏壁を越えてしまい、吸収性物品の外側へ漏れる、ということをより確実に抑制できる。
【００１１】
本発明の吸収性物品は、（４）前記吸収体は、吸収性コアと、前記吸収性コアを包摂するコアラップとを含み、前記吸収性コアは、高吸収性ポリマーを含み、パルプ繊維を含まない、上記（１）乃至（３）のいずれか一項に記載の吸収性物品、でもよい。
本吸収性物品では、吸収性コアは、高吸収性ポリマーを含み、パルプ繊維を含まないため、吸収性コアにパルプ繊維を含む場合と比較して、吸収体の厚さを薄くすることができる。したがって、吸収体、延いては吸収性物品を変形し易くすることができる。それにより、一対のエンボス部の幅方向の内側において、吸収性物品の中央部を容易に肌側に隆起させることができ、液体の排泄物をその中央部により吸収させることができる。
【００１２】
本発明の吸収性物品は、（５）前記吸収体における前記幅方向及び前記長手方向の中心部の厚みは５ｍｍ以内である、上記（４）に記載の吸収性物品、であってもよい。
本吸収性物品では、吸収体の中心部の厚みが５ｍｍ以内であり、比較的薄いため、吸収体、延いては吸収性物品をより変形し易くすることができる。一対のエンボス部の幅方向の内側において、吸収性物品の中央部をより容易に肌側に隆起させることができ、液体の排泄物をその中央部により吸収させることができる。
【００１３】
本発明の吸収性物品は、（６）前記一対のエンボス部は、平面視で、前記長手方向において中心から両端部に向かうに連れて前記幅方向の互いの距離が増大する形状を有する、上記（１）乃至（５）のいずれか一項に記載の吸収性物品、であってもよい。
本吸収性物品では、一対のエンボス部が、長手方向の中央部において互いに近接するように窄まった形状を有している。すなわち、装着時に幅方向の両側に位置する両足の外形に沿った形状を有している。そのため、幅方向の両側から両足に挟まれたとき、一対のエンボス部の内側において、幅方向の中央部を容易に肌側に隆起させることができると共に、吸収体の両端縁の各々から外側の部分（一対のサイドフラップを含む）を肌側へ容易に起立させることができる。
【００１４】
本発明の吸収性物品は、（７）前記吸収体の前記長手方向の中心における前記幅方向の長さを１００％としたとき、前記一対のエンボス部において、前記長手方向の中心同士における前記幅方向の距離は２０〜５０％であり、前記長手方向の端縁同士における前記幅方向の距離は３５〜９５％である、上記（６）に記載の吸収性物品、であってもよい。
本吸収性物品では、一対のエンボス部は長手方向の中央部が窄まった形状を有し、吸収体の長手方向の中心の幅を１００％としたとき、長手方向の中心同士間の距離は２０〜５０％であり、端縁同士間の距離は３５〜９５％である。そのため、幅方向の両側から両足に挟まれたとき、一対のエンボス部の内側の、幅方向の中央部を肌側により容易に隆起させることができると共に、吸収体の両端縁の各々から外側の部分（一対のサイドフラップを含む）を肌側へより容易に起立させることができる。
【００１５】
本発明の吸収性物品は、（８）前記吸収体は、平面視で、前記長手方向において中心から両端部に向かうに連れて前記幅方向の寸法が増加する形状を有する、上記（１）乃至（７）のいずれか一項に記載の吸収性物品。
本吸収性物品では、吸収体が、長手方向の中央部が窄まった形状を有している。すなわち、装着時に幅方向の両側に位置する両足の外形に沿った形状を有している。そのため、幅方向の両側から両足に挟まれたとき、吸収体の両端縁の各々から外側の部分（一対のサイドフラップを含む）を肌側へ容易に起立させることができる。
【００１６】
本発明の吸収性物品は、（９）前記一対のサイドフラップの各々における伸縮可能な領域の前記長手方向の長さは、前記一対のエンボス部の各々における前記長手方向の長さよりも短い、上記（１）乃至（８）のいずれか一項に記載の吸収性物品、であってもよい。
本吸収性物品では、サイドフラップにおける伸縮可能な領域の長手方向の長さが、エンボス部における長手方向の長さよりも短い。そのため、吸収性物品における長手方向のエンボス部よりも両外側の前方部分及び後方部分を、サイドフラップによる伸縮及びエンボス部による変形の影響を受け難くすることができる。したがって、吸収性物品における長手方向の前方部及び後方部を比較的平坦な状態にすることができる。それにより、吸収性物品における前方部及び後方部を身体に密着させることができ、長手方向の排泄物の漏れを抑制することができる。
【００１７】
本発明の吸収性物品は、（１０）前記一対のサイドフラップの各々は、前記長手方向に延在し、前記幅方向の外側の端部に位置する第１弾性体と、前記長手方向に延在し、前記第１弾性体よりも前記幅方向の内側の部分に位置する第２弾性体と、を含み、前記幅方向において、平面視で、前記長手方向の中心での前記一対のエンボス部間の長さの１／２の長さよりも、前記吸収体における前記一方の端縁から前記第２弾性体までの距離が長い、上記（１）乃至（９）のいずれか一項に記載の吸収性物品、であってもよい。
本吸収性物品では、サイドフラップが、幅方向の外側に位置する第１弾性体と、内側に位置する第２弾性体と、を含んでいる。それゆえ、第１弾性体及び第２弾性体の伸縮によりサイドフラップが肌側へ起立するとき、サイドフラップにおける第１弾性体の部分だけでなく、第２弾性体の部分も着用者の股下の肌面に密着させることができる。すなわち、サイドフラップにおける第１弾性体及び第２弾性体により形成される面状の部分を着用者の股下の肌面に密着させることができる。それにより、幅方向の外側に排泄物が放出され、漏れることをより確実に抑制できる。
【００１８】
本発明の吸収性物品は、（１１）前記表面シートは、前記長手方向に延び、前記幅方向に間隔を空けて並んだ複数の凸部と、前記複数の凸部の間に形成された複数の凹部とを備える、上記（１）乃至（１０）のいずれか一項に記載の吸収性物品、でもよい。
本吸収性物品では、表面シートが、長手方向に延び、幅方向に並んだ凹凸構造を備えている。そのため、幅方向の中央部が一対のエンボス部を起点として長手方向に沿って肌側により容易に隆起することができ、かつ、幅方向の吸収体の両端縁から外側の部分（一対のサイドフラップを含む）を長手方向に沿って肌側へより容易に起立させることができる。それにより、排泄口に密着することができ、液体の排泄物をより吸収できる。
【００１９】
本発明の吸収性物品は、（１２）前記一対のサイドシートの各々は、前記長手方向の伸張倍率が１．１〜１．５倍のシートである、上記（２）に記載の吸収性物品、であってもよい。
本吸収性物品では、サイドフラップを形成するサイドシートが伸張倍率１．１〜１．５倍のシートで形成されているので、サイドフラップを長手方向により伸縮し易くすることができる。そのサイドフラップの伸縮により、吸収性物品における吸収体の両端縁から外側の部分（一対のサイドフラップを含む）を肌側へより容易に起立させることができる。
【００２０】
本発明の吸収性物品は、（１３）前記吸収体の前記幅方向の中心における前記長手方向の長さを１００％としたとき、前記一対のエンボス部の各々の前記長手方向の長さは３５％〜８５％である、上記（１）乃至（１２）のいずれか一項に記載の吸収性物品、であってもよい。
本吸収性物品では、吸収体の幅方向の中心における長手方向の長さを１００％としたとき、エンボス部の長手方向の長さは３５％〜８５％である。そのため、吸収性物品における長手方向のエンボス部よりも両外側の前方部及び後方部については、サイドフラップによる伸縮及びエンボス部による変形の影響をより受け難くして、身体により密着させることができる。一方、吸収性物品における長手方向のエンボス部の中央部については、幅方向の中央部を肌側により容易に隆起させ、吸収体の両端縁から外側の部分（一対のサイドフラップを含む）を肌側へより容易に起立させることができる。
【発明の効果】
【００２１】
本発明によれば、吸収性物品において、排泄物を長手方向に拡散させて吸収性能を高めつつ、着用者の体勢等に依らずに、排泄物の幅方向の漏れを抑制することが可能な吸収性物品を提供することができる。
【図面の簡単な説明】
【００２２】
【図１】実施の形態に係る吸収性物品の構成を示す平面図である。
【図２】図１のＩＩ−ＩＩ線に沿う断面図である。
【図３】軽失禁パッドの作用を説明する模式図である。
【図４】吸収体の構成を示す平面図である。
【発明を実施するための形態】
【００２３】
以下、実施の形態に係る吸収性物品について軽失禁パッド１を例に説明する。この場合、軽失禁パッド１の吸収対象である排泄物は尿である。ただし、吸収性物品の種類及び用途はこの例に限定されるものではなく、本発明の趣旨の範囲を逸脱しない限り、他の吸収性物品でもよい。そのような吸収性物品として、例えばパンティライナー、生理用ナプキン、使い捨ておむつが挙げられる。
【００２４】
図１〜図２は実施の形態に係る軽失禁パッド１の構成を示す図である。ただし、図１は展開した状態の軽失禁パッド１の平面図を示し、図２は図１のＩＩ−ＩＩ線に沿う断面図を示す。軽失禁パッド１は、互いに直交する長手方向Ｌ、幅方向Ｗ及び厚さ方向Ｔを有し、幅方向Ｗの中心を通り長手方向Ｌに延びる長手方向中心線ＣＬと、長手方向Ｌの中心を通り幅方向Ｗに延びる幅方向中心線ＣＷとを有する。また、軽失禁パッド１は、長手方向Ｌにおいて、股間部ＭＰと、股間部ＭＰの前方に位置する前方部ＦＰと、股間部ＭＰの後方に位置する後方部ＲＰとを有する。股間部ＭＰと前方部ＦＰ及び後方部ＲＰは、軽失禁パッド１の中央と両端に位置するので、それぞれ中央部と両端部ともいえる。長手方向中心線ＣＬに近づく方向及び遠ざかる方向をそれぞれ幅方向Ｗの内側及び外側の方向とする。幅方向中心線ＣＷに近づく方向及び遠ざかる方向をそれぞれ長手方向Ｌの内側及び外側の方向とする。「平面視」とは長手方向Ｌ及び幅方向Ｗを含む平面に展開した状態の軽失禁パッド１を厚さ方向Ｔの上方側から見ることをいい、「平面形状」とは平面視で把握される形状をいう。「肌側」及び「非肌側」とは軽失禁パッド１が装着者に装着されたときに、厚さ方向Ｔにおいて相対的に装着者の肌面に近くなる側及び遠くなる側をそれぞれ意味する。「面内方向」とは幅方向Ｗ及び長手方向Ｌを含む面と平行な任意の方向である。これら定義は軽失禁パッド１だけでなく、軽失禁パッド１に配置された状態の各資材にも共通に用いる。
【００２５】
本実施の形態では、軽失禁パッド１は、長手方向中心線ＣＬに対して線対称、かつ、幅方向中心線ＣＷに対して線対称な形状を有する。したがって、股間部ＭＰは、長手方向中心線ＣＬ及び幅方向中心線ＣＷに対して線対称な形状を有する。前方部ＦＰ及び後方部ＲＰは長手方向中心線ＣＬに対して線対称な形状を有する。前方部ＦＰ及び後方部ＲＰは幅方向中心線ＣＷに対して互いに線対称な関係にある。本実施の形態では、股間部ＭＰは、長手方向Ｌにおいて、幅方向中心線ＣＷの両側に、それぞれ軽失禁パッド１の長手方向Ｌの最大長の１５〜３５％の範囲（全体で３０〜７０％の範囲）の領域である。前方部ＦＰ及び後方部ＲＰは、長手方向Ｌにおいて、それぞれ股間部ＭＰを除いた前方及び後方の領域である。股間部ＭＰは、後述される排泄口当接域ＸＡを含む領域ということができる。
【００２６】
なお、ある方向Ｄが長手方向Ｌに沿う方向であるとは、方向Ｄが長手方向Ｌに平行な場合だけでなく、方向Ｄの長手方向Ｌの成分Ｄｘが、方向Ｄの幅方向Ｗの成分Ｄｙよりも大きい場合（Ｄｘ＞Ｄｙ）も含んでいる。同様に、ある方向Ｄが幅方向Ｗに沿う方向であるとは、方向Ｄが幅方向Ｗに平行な場合だけでなく、方向Ｄの幅方向Ｗの成分Ｄｙが、方向Ｄの長手方向Ｌの成分Ｄｘよりも大きい場合（Ｄｙ＞Ｄｘ）も含んでいる。なお、曲線に関しては、曲線上の各点の接線について、ある方向Ｄを上記のように評価する。
【００２７】
図１に示すように、軽失禁パッド１は、平面視にて、長手方向Ｌに延びる長辺と幅方向Ｗに延びる短辺とを有する長方形における長手方向Ｌの両端縁が円弧状に膨らんだ形状を有する。ただし、本実施の形態において軽失禁パッド１の形状は、このような形状に限定されず、長手方向Ｌの長さ寸法が幅方向Ｗの幅寸法よりも長い形状のものであれば、任意の縦長の形状（例示：長方形、角丸長方形、楕円形、小判形）とすることができる。
【００２８】
図２に示すように、軽失禁パッド１は、表面シート２と、裏面シート３と、表面シート２と裏面シート３との間に位置する吸収体４と、を備えている。本実施の形態では、表面シート２及び裏面シート３の周縁部は、吸収体４の周囲の端縁４ｅから外側に向かって所定幅で延出し、吸収体４を内包している。すなわち、表面シート２及び裏面シート３の端縁２ｅ、３ｅは吸収体４の端縁４ｅから所定幅だけ外側に位置する。したがって、軽失禁パッド１は、吸収体４が表面シート２と厚さ方向Ｔに重複する重複領域と、吸収体４が表面シート２と厚さ方向Ｔに重複しない非重複領域と、を有する。また、本実施の形態では、表面シート２及び裏面シート３は、平面視で、長手方向Ｌの中央部が幅方向Ｗに括れた形状を有する。したがって、長手方向Ｌにおいて、中心から両端部に向かうに連れて幅方向Ｗの寸法が増加する（両端部で減少する）。表面シート２及び裏面シート３における幅方向Ｗに括れた部分の両端縁２ｅ及び両端縁３ｅは、幅方向Ｗの内側に凸な曲線を形成する。更に、本実施の形態では、吸収体４は、平面視で、長手方向Ｌの中央部が、幅方向Ｗに括れた形状を有する。したがって、長手方向Ｌにおいて中心から両端部に向かうに連れて幅方向Ｗの寸法が増加する（両端部で減少する）。吸収体４における幅方向Ｗに括れた部分の両端縁４ｅは、幅方向Ｗの内側に凸な曲線を形成する。長手方向Ｌの中央部が幅方向Ｗに括れた形状としては、例えば、平面視での瓢箪形、砂時計形が挙げられる。
【００２９】
本実施の形態では、軽失禁パッド１は、更に、幅方向Ｗの両端部において、表面シート２及び裏面シート３の両端部を覆う一対のサイドシート７、７を含む。各サイドシート７は、一方の面における幅方向Ｗの略半分の部分を裏面シート３の非肌側の面に接合され、その一方の面における幅方向Ｗの残りの部分を表面シート２の肌側の面に接合される。したがって、一対のサイドシート７、７は、軽失禁パッド１おける幅方向Ｗの両端部の肌側及び非肌側の表面を覆うように配置される。各サイドシート７は、長手方向Ｌの伸張倍率が１．１〜１．５倍のシートである。すなわち、各サイドシート７は、自然状態のシートを、長手方向Ｌに１．１〜１．５倍だけ伸張した状態で表面シート２及び裏面シート３に接合されて形成される。したがって、長手方向Ｌの内側に向かって収縮しようとする内部応力を有する。別の実施の形態では、表面シート２側のサイドシートが表面シートと一体又は存在せず、裏面シート３側のサイドシートが裏面シートと一体又は存在しない。
【００３０】
軽失禁パッド１は、吸収体４が表面シート２と厚さ方向Ｔに重複する重複領域において、幅方向Ｗに間隔を空けて並んだ一対のエンボス部５、５を備える。各エンボス部５は、長手方向Ｌに沿って長手方向Ｌの中央部（股間部ＭＰ）を通るように延設され、厚さ方向Ｔに表面シート２の肌側の表面から吸収体４の非肌側の表面に向って窪んだ構成を有する。本実施の形態では、一対のエンボス部５、５は、平面視で、長手方向Ｌにおいて中心から両端部に向かうに連れて幅方向Ｗの互いの距離が増大する形状を有する。すなわち、一対のエンボス部５、５の形状（又はパターン）は、平面視で、長手方向中心線ＣＬに対して凸（幅方向Ｗの内側に凸）となる緩やかな円弧状（緩やかな弓なり）の形状である。その形状は、長手方向中心線ＣＬに対して線対称、かつ、幅方向中心線ＣＷに対して線対称の形状である。一対のエンボス部５、５は、長手方向Ｌにおいて吸収体４の両端部の近傍まで延設され、その吸収体４の両端部の近傍において、吸収体４の幅方向Ｗの両端部の近傍まで延設される。エンボス部５の幅は０．５〜４ｍｍが好ましく、１〜２ｍｍがより好ましい。ただし、一対のエンボス部５、５の形状は、この例に限定されず、他の形状を有してもよい。他の形状としては、例えば長手方向Ｌに平行な形状や、長手方向中心線ＣＬに対して凹となる形状や、これらの形状（図１の形状を含む）の組み合わせが挙げられる。
【００３１】
本実施の形態では、軽失禁パッド１は、更に、重複領域において、長手方向Ｌに間隔を空けて並んだ一対の他のエンボス部６、６を備える。各他のエンボス部６は、幅方向Ｗに沿って幅方向Ｗの中央部を通るように延設され、厚さ方向Ｔに表面シート２の肌側の表面から吸収体４の非肌側の表面に向って窪んだ構成を有する。一対のエンボス部６、６は、平面視で、幅方向Ｗにおいて中心から両端部に向かうに連れて長手方向Ｌの互いの距離が減少する形状を有する。すなわち、一対の他のエンボス部６、６の形状（又はパターン）は、平面視で、幅方向中心線ＣＷに対して凹（長手方向Ｌの内側に凹）となる緩やかな円弧状（緩やかな弓なり）の形状である。その形状は、幅方向中心線ＣＷに対して線対称、かつ、長手方向中心線ＣＬに対して線対称の形状である。一対の他のエンボス部６、６は、長手方向Ｌにおいて吸収体４の両端部の近傍に延設される。他のエンボス部５の幅は０．５〜４ｍｍが好ましく、１〜２ｍｍがより好ましい。ただし、一対の他のエンボス部６、６の形状は、この例に限定されるものではなく、他の形状を有してもよい。一対の他のエンボス部６、６の他の形状としては、例えば幅方向Ｗに平行な形状や、幅方向中心線ＣＷに対して凸となるような形状や、これらの形状（図１の形状を含む）の組み合わせが挙げられる。更に、一対の他のエンボス部６、６の長手方向Ｌの内側に、更に一対の他のエンボス部を有してもよい。
【００３２】
各エンボス部５、６の形成方法は特に制限はなく、表面シート２、裏面シート３及び吸収体４の構成や各エンボス部５、６の構成に応じて適宜公知の方法を用いることができる。本実施の形態では、各エンボス部５、６は、表面シート２と吸収体４とを積層させた積層体を、表面シート２の肌側の表面から吸収体４の非肌側の表面に向って圧搾させつつ熱融着させる方法、すなわち熱エンボス加工の方法で形成される。そのとき、エンボス部５の厚さ方向Ｔの底部には、表面シート２及び吸収体４の資材が高濃度に圧縮され、熱溶融された熱融着部５ｔが形成される。
【００３３】
軽失禁パッド１は、吸収体４が表面シート２と厚さ方向Ｔに重複しない非重複領域において、長手方向Ｌの中央部（股間部ＭＰ）における幅方向Ｗの両端部に位置し、長手方向Ｌに伸縮可能な一対のサイドフラップ１０、１０を更に備える。各サイドフラップ１０の幅方向Ｗの外側の端縁１０ｅは、軽失禁パッド１の幅方向Ｗの端縁の一部を構成する。本実施の形態では、各サイドフラップ１０は、サイドシート７のうちの、表面シート２及び裏面シート３における幅方向Ｗに括れた部分の端縁２ｅ、３ｅに対応する（端縁状の）部分と、幅方向Ｗの外側の端縁と、により囲まれた部分である。一対のサイドシート７、７のうちの当該部分は長手方向Ｌに伸縮可能である。したがって、各サイドフラップ１０は、非重複領域のうちの、表面シート２及び裏面シート３が存在しない領域であるということができる。別の実施の形態では、各サイドフラップ１０は、非重複領域のうちの、表面シート２及び裏面シート３の少なくとも一方が存在する領域である。
【００３４】
軽失禁パッド１は、幅方向Ｗにおいて、平面視で、長手方向Ｌの中心での一対のエンボス部５、５間の長さｄ０の１／２の長さｄ１よりも、吸収体４における一方の端縁４ｅから当該端縁４ｅに対向するサイドフラップ１０における外側の端縁１０ｅまでの距離ｄ２が長い。すなわち、ｄ１（＝ｄ０／２）＜ｄ２、である。ここで、本実施の形態では、長手方向Ｌの中心とは、長手方向Ｌにおける幅方向中心線ＣＷの位置である。ただし、その位置から長手方向Ｌの最大長の±５％の範囲を含んでもよい（以下同じ）。長手方向Ｌの中心での一対のエンボス部５、５間の長さｄ１とは、平面視で、幅方向中心線ＣＷ上における、一方のエンボス部５の熱融着部５ｔの幅方向Ｗの内側の端縁と、他方のエンボス部５の熱融着部５ｔの内側の端縁との距離である。なお、幅方向中心線ＣＷ上に熱融着部５ｔがない場合には、幅方向中心線ＣＷに最近接な熱融着部５ｔを用いる。一方、端縁４ｅから端縁１０ｅまでの距離ｄ２とは、平面視で、幅方向中心線ＣＷ上における、吸収体４の一方の端縁４ｅから表面シート２及び裏面シートの端縁２ｅ、３ｅまでの距離ｄ２１と、表面シート２及び裏面シートの端縁２ｅ、３ｅからサイドフラップ１０の端縁１０ｅまでの距離ｄ２２との和である。すなわち、ｄ２＝ｄ２１＋ｄ２２、である。
【００３５】
軽失禁パッド１には、表面シート２と吸収体４とが厚さ方向Ｔに重複する重複領域に、装着時に着用者の排泄口に当接する領域、すなわち排泄口当接域ＸＡが存在する。本実施の形態では、排泄口当接域ＸＡは、長手方向中心線ＣＬと幅方向中心線ＣＷとの交点を中心に、一対のエンボス部５、５及び一対の他のエンボス部６、６の内側の領域である。排泄物は、主に排泄口当接域ＸＡに排泄され、吸収された後、その周囲に拡散してゆく。排泄口当接域ＸＡは、典型的には、例えば吸収体４における長手方向Ｌの略中央部で幅方向Ｗの略中央部に、吸収体４全長の約１／４〜３／５の長さ、吸収体４全幅の約１／２〜１／３の幅の領域である。ただし、排泄口当接域ＸＡは、吸収性物品の種類や、吸収性物品の着用者の性別や年齢層により、適宜変動し得る。
【００３６】
表面シート２は、液透過性を有するシートである。表面シート２としては、液透過性を有するシートであれば特に制限はない。表面シート２としては、例えば液透過性の不織布や織布、液透過孔を有する合成樹脂フィルム、これらの複合シートが挙げられる。本実施の形態では、熱エンボス加工での熱融着の観点から熱融着性繊維で形成され、液透過性を有するエアスルー不織布を用いる。表面シート２の坪量は、例えば５ｇ／ｍ２〜１００ｇ／ｍ２が挙げられ、好ましくは２０ｇ／ｍ２〜５０ｇ／ｍ２である。表面シート２の厚さは、例えば０．２〜３ｍｍが挙げられる。また、表面シート２は凹凸構造を備えてもよい。本実施の形態では、表面シート２は、長手方向Ｌに延び、幅方向Ｗに間隔を空けて並んだ複数の凸部（図示されず）と、複数の凸部の間に形成された複数の凹部（図示されず）とを備える。
【００３７】
裏面シート３は、裏面シート３は、液不透過性を有するシートである。裏面シート３としては、液不透過性を有するシートであれば特に制限はなく、例えば液不透過性の不織布や合成樹脂フィルム、不織布と合成樹脂フィルムとの複合シート、ＳＭＳ不織布が挙げられる。本実施の形態では、液不透過性を有するＳＭＳ不織布を用いる。
【００３８】
表面シート２の非肌側の面と吸収体４の肌側の面とは相互に接合され、吸収体４の非肌側の面と裏面シート３の肌側の面とは相互に接合される（重複領域）。表面シート２の周縁部の非肌側の面と裏面シート３の周縁部の肌側の面とは相互に接合される（非重複領域）。接合方法は特に制限はなく、例えば、ホットメルト接着剤のような接着剤を用いる方法や、熱エンボスのような熱シールを用いる方法や、それらを組み合わせた方法が挙げられる。
【００３９】
吸収体４は、液吸収性能及び液保持性能を有する層である。吸収体４は比較的薄く形成されており、その厚さは例えば１ｍｍ〜５ｍｍが挙げられる。本実施の形態では、吸収体４の幅方向Ｗ及び長手方向Ｌの中心部（長手方向中心線ＣＬと幅方向中心線ＣＷとの交点で計測）の厚みは５ｍｍ以内である。また、本実施の形態では、吸収体４は、吸収性コア４ａと、吸収性コア４ａを包摂するコアラップ４ｂと、を含む。
【００４０】
吸収性コア４ａは、高吸収性ポリマー２０を有する。高吸収性ポリマー２０としては、水分を吸収し保持できるポリマーであれば特に制限はなく、例えばデンプン系、アクリル酸系、アミノ酸系の粒子状又は繊維状の高吸収性ポリマー（ＳＡＰ）が挙げられる。高吸収性ポリマー２０の坪量は、軽失禁パッド１に要求される吸収性能に応じて適宜調整され得るが、例えば１０〜５００ｇ／ｍ２が挙げられ、好ましくは１００〜４００ｇ／ｍ２である。吸収性コア４ａは、更に、パルプ繊維や吸水性繊維を有してもよい。吸水性繊維の含有量は、例えば高吸収性ポリマー２０の質量の０〜５０％の範囲が挙げられる。本実施の形態では、吸収性コア４ａは、エンボス部５、６の熱融着部（後述）の領域にはパルプ繊維を含まないように構成される。本実施の形態では、吸収性コア４ａは、高吸収性ポリマー２０のみで構成され、吸水性繊維を含まない。高吸収性ポリマー２０は、ホットメルト接着剤等（図示されず）でコアラップ４ｂに固定されることが好ましいが、固定されずにコアラップ４ｂで包摂されて存在してもよい。別の実施の形態では、吸収性コア４ａは、高吸収性ポリマー２０の他に、パルプ繊維及び／又は吸水性繊維を含むが、エンボス部５の熱融着部（後述）にはパルプ繊維を含まないように構成される。
【００４１】
コアラップ４ｂとしては、液透過性を有するシートであれば特に制限はない。コアラップ４ｂとしては、例えば液透過性の不織布や積層不織布、ティッシュなどの親水性の不織布が挙げられる。コアラップ４ｂの坪量は、例えば２ｇ／ｍ２〜８０ｇ／ｍ２が挙げられ、好ましくは１０ｇ／ｍ２〜４０ｇ／ｍ２である。本実施の形態では、熱エンボス加工での熱融着の観点から熱融着性繊維で形成され、パルプ繊維を含まない、液透過性を有するエアスルー不織布を用いる。なお、コアラップ４ｂは、熱融着性繊維を含み、パルプ繊維を含まない複数のシートを積層した構成であってもよい。
【００４２】
なお、表面シート２と吸収体４との間に、一枚又は複数枚の液透過性の他のシートを備えていてもよい。例えば、軽失禁パッド１に液拡散性や、クッション性を付与する公知のシートが挙げられる。その液透過性のシートとしては、熱エンボス加工での熱融着の観点から熱融着性繊維で形成され、パルプ繊維を含まなければ、特に制限はない。また、裏面シート３と吸収体４との間に吸収性性能を補完するためにティッシュを有してもよい。
【００４３】
熱融着性繊維としては、熱エンボス加工による加熱により溶融し、熱融着することが可能な繊維であれば、特に制限はない。そのような熱融着性繊維としては、ポリエチレン、ポリプロピレン、ポリビニルアルコールのようなポリオレフィン系の単一繊維や、ポリエチレンテレフタレート（芯部）／ポリエチレン（鞘部）、ポリエチレンテレフタレート（芯部）／ポリプロピレン（鞘部）、ポリプロピレン（芯部）／ポリエチレン（鞘部）のような芯鞘型の複合繊維などが挙げられる。表面シート２や吸収性コア４ａやコアラップ４ｂなどで使用する場合、親水性油剤等により親水処理を施してもよい。熱融着性材料としては、例えば熱可塑性樹脂のような合成樹脂が挙げられる。
【００４４】
本実施の形態では、一対のエンボス部５、５の各々は、複数の熱融着部５ｔと、複数の非熱融着部５ｓと、を備えている。複数の熱融着部５ｔの各々は、エンボス部５において、長手方向Ｌに沿って間欠的に配置されている。熱融着部５ｔの平面形状は特に制限はなく、例えば円形、楕円系、四角形、多角形などが挙げられる。複数の非熱融着部５ｓの各々は、エンボス部５において、隣り合う熱融着部５ｔ、５ｔの間に配置されている。言い換えると、エンボス部５は、長手方向Ｌに沿って、熱融着部５ｔと非熱融着部５ｓとが交互に配置されている。本実施の形態では、平面視で、長手方向中心線ＣＬに対して凸となるように、熱融着部５ｔと非熱融着部５ｓとが交互に緩やかな円弧状に（緩やかな弓なりに）配置されている。
【００４５】
熱融着部５ｔは、表面シート２と吸収体４における肌側のコアラップ４ｂとが厚さ方向Ｔの非肌側に向かって陥没し、吸収体４における非肌側のコアラップ４ｂと共に熱融着された構成を有する。熱融着部５ｔは、圧搾及び溶融によって周囲よりも材料密度の高い高密度部を有する。一方、非熱融着部５ｓは、隣り合う熱融着部５ｔ、５ｔ間の距離にも依るが、両側の熱融着部５ｔ、５ｔの陥没により、表面シート２と吸収体４とが厚さ方向Ｔにやや窪んで構成を有する。ただし、非熱融着部５ｓは、窪んでいなくてもよい。
【００４６】
熱融着部５ｔは、表面シート２と吸収体４のコアラップ４ｂとが厚さ方向Ｔに圧搾され熱融着されて構成されており、パルプ繊維を含まない。また、熱融着部５ｔは吸収性コア４ａを含み得るが、吸収性コア４ａにおける熱融着部の領域はパルプ繊維を含まないように構成されるので、その場合でも、熱融着部５ｔはパルプ繊維を含まない。なお、熱融着部５ｔは、吸収性コア４ａとして高吸収性ポリマーを含んでもよい。高吸収性ポリマーは熱エンボス加工の時に熱で溶融し熱融着部５ｔの一部を構成し得るので、熱融着部５ｔの接着強度を低下させない。
【００４７】
一方、非熱融着部５ｓは、表面シート２と吸収体４のコアラップ４ｂ及び吸収性コア４ａとが厚さ方向Ｔに積層されて構成される。したがって、非熱融着部５ｓは、吸収性コア４ａが高吸収性ポリマー２０のみであるなどパルプ繊維を含まない場合には、パルプ繊維を含まない。一方、非熱融着部５ｓは、吸収性コア４ａが高吸収性ポリマー２０及びパルプ繊維を含んでいるなどパルプ繊維を含む場合には、パルプ繊維を含み得る。本実施の形態では、熱エンボス加工での熱融着の観点から、吸収性コア４ａは高吸収性ポリマー２０のみなので、非熱融着部５ｓは吸収性コア４ａとしてはパプル繊維を含まず、高吸収性ポリマーを含む。また、本実施の形態では、吸収体４において、非熱融着部５ｓに存在する高吸収性ポリマーの坪量は、非熱融着部５ｓ以外の領域に存在する高吸収性ポリマーの坪量よりも高い。
【００４８】
一対の他のエンボス部６、６の各々は、複数の他の熱融着部６ｔと、複数の他の非熱融着部６ｓと、を備える。複数の他の熱融着部６ｔの各々は、他のエンボス部６において、幅方向Ｗに沿って間欠的に配置されている。複数の他の非熱融着部６ｓの各々は、他のエンボス部６において、隣り合う他の熱融着部６ｔ、６ｔの間に配置されている。言い換えると、他のエンボス部６は、幅方向Ｗに沿って、他の熱融着部６ｔと他の非熱融着部６ｓとが交互に配置されている。本実施の形態では、平面視で、幅方向中心線ＣＷに対して凹となるように、他の熱融着部６ｔと他の非熱融着部６ｓとが交互に緩やかな円弧状に（緩やかな弓なりに）配置されている。
【００４９】
他の熱融着部６ｔ及び他の非熱融着部６ｓにおけるその他の構成、例えば具体的な形状や構造や材料については、それぞれ熱融着部５ｔ及び非熱融着部５ｓの構成と同様である。したがって、その説明を省略する。
【００５０】
本実施の形態では、軽失禁パッド１は、更に、裏面シート３の非肌側に粘着部９を備える。本実施の形態では、粘着部９として、裏面シート３における非肌側に、幅方向Ｗに間隔を空けて並んだ３本の粘着テープが設けられる。このとき、粘着部９は、平面視で、長手方向Ｌに沿って貼り付けられた細長い矩形形状を有し、幅方向Ｗにおける吸収体４の両端縁の各々の内側に位置し、幅方向Ｗにおける吸収体４の両端縁の各々の外側に位置しないように形成される。したがって、軽失禁パッド１では、幅方向Ｗにおける吸収体４の両端縁よりも外側の部分が、着用者の下着などに固定されない。なお、粘着部９は、軽失禁パッド１の個包装時にはセパレータ（図示されず）を介して軽失禁パッド１を包装シート（図示されず）に固定し、軽失禁パッド１の使用時には軽失禁パッド１を着用者の下着などに再固定する。
【００５１】
本実施の形態では、軽失禁パッド１は、長手方向Ｌに延在し、幅方向Ｗの両外側の両端部に位置する一対の弾性体を備える。本実施の形態では、軽失禁パッド１は、一対の弾性体として、一対の第１弾性体１１、１１を備える。第１弾性体１１は、軽失禁パッド１において、長手方向Ｌに延在し、幅方向Ｗの外側の端部に位置する。第１弾性体１１は、長手方向Ｌの中央部（股間部ＭＰ）に位置する中央第１弾性体１１ａと、長手方向Ｌの両端部（前方部ＦＰ、後方部ＲＰ）に位置する端部第１弾性体１１ｂ、１１ｂと、を含む。中央第１弾性体１１ａは、上側及び下側のサイドシート７に挟まれて、サイドフラップ１０に含まれる。中央第１弾性体１１ａは、長手方向Ｌに伸縮性を有するので、サイドフラップ１０に長手方向Ｌの伸縮性を付与する。一方、端部第１弾性体１１ｂは、サイドシート７と表面シート２又は裏面シート３とに挟まれて、サイドフラップ１０の長手方向Ｌの両外側の両端部（前方部ＦＰ、後方部ＲＰ）に含まれる。端部第１弾性体１１ｂは、中央第１弾性体１１ａと連続しているが、伸縮性を有さない部分であるため、その両端部に伸縮性を付与しない。別の実施の形態では、端部第１弾性体１１ｂは、伸縮性を有し、その両端部に伸縮性を付与する。
【００５２】
本実施の形態では、軽失禁パッド１は、一対の弾性体として、更に、一対の第２弾性体１２、１２を備える。第２弾性体１２は、軽失禁パッド１において、長手方向Ｌに延在し、第１弾性体１１よりも幅方向Ｗの内側の部分に位置する。第２弾性体１２は、長手方向Ｌの中央部（股間部ＭＰ）に位置する中央第２弾性体１２ａと、長手方向Ｌの両端部（前方部ＦＰ、後方部ＲＰ）に概ね位置する端部第２弾性体１２ｂ、１２ｂと、を含む。中央第２弾性体１２ａは、上側及び下側のサイドシート７に挟まれて、サイドフラップ１０に含まれる。中央第２弾性体１２ａは、長手方向Ｌに伸縮性を有するので、サイドフラップ１０に長手方向Ｌの伸縮性を更に付与する。一方、端部第２弾性体１２ｂは、サイドシート７と表面シート２又は裏面シート３とに挟まれて、サイドフラップ１０の長手方向Ｌの両外側の両端部（前方部ＦＰ、後方部ＲＰ）に概ね含まれる。端部第２弾性体１２ｂは、中央第２弾性体１２ａと連続しているが、伸縮性を有さない部分であるため、両端部に伸縮性を付与しない。別の実施の形態では、端部第２弾性体１２ｂは、伸縮性を有し、その両端部に伸縮性を付与する。
【００５３】
したがって、本実施の形態では、一対の弾性体は、軽失禁パッド１のうちの中央部（股間部ＭＰ）を長手方向Ｌに伸縮可能にする、すなわちサイドフラップ１０を長手方向Ｌに伸縮可能にする。しかし、一対の弾性体は、両端部（前方部ＦＰ、後方部ＲＰ）を長手方向Ｌに伸縮可能にはしない、ということができる。
【００５４】
次に、本実施の形態に係る軽失禁パッド１の製造方法の一例を説明する。
まず、吸収体４が例えば以下の方法で作製される。最初に、上述の吸収性コア４ａ（高吸収性ポリマー）を、接着剤を塗布したコアラップ４ｂにおける幅方向Ｗの中央の領域に配置する。次に、折り畳み装置により、吸収性コア４ａが配置された領域の幅方向Ｗの両側に隣接する領域を、長手方向Ｌに延びる折畳み線に沿って幅方向Ｗの内側に折り畳む。ここで、折り重なったコアラップ４ｂの幅方向Ｗの両端部には予め接着剤を塗布してある。そこで、押圧装置により、その折り重なった両端部を押圧して、両端部を互いに接着する。それと共に、一方、吸収性コア４ａが配置された領域の長手方向Ｌの両端部には予め接着剤を塗布してある。そこで、押圧装置により、その両端部を押圧して、両端部を互いに接着する。それにより、吸収性コア４ａがコアラップ４ｂで包摂された吸収体が形成される。その後、周囲圧搾切断装置により、この吸収体の周囲を、所定形状で縁取るように圧搾しつつ切断することで、図１のような外形の吸収体４が形成される。このとき、例えば、完成品の軽失禁パッド１のエンボス部において、吸収性コア４ａ（高吸収性ポリマー）の坪量を相対的に大きくしたい場合には、コアラップ４ｂにおけるエンボス部が形成される領域の接着剤の坪量を相対的に大きくする方法を取り得る。その場合、接着剤を、例えば、エンボス部の平面視の形状と概ね同じ形状に配置してもよいし、エンボス部を含む矩形状又は帯状に配置してもよい。
【００５５】
次いで、連続シート状の表面シートが搬送ベルトに供給される。その表面シートの一方の面にはホットメルト接着剤が塗布されている。押圧装置により、吸収体４は表面シートのその一方の面に押し付けられる。それにより、吸収体４と表面シートとが積層された積層体が形成される。次いで、その積層体が圧搾装置の一対のロールで加熱されつつエンボスされる（熱エンボス加工）。それにより、積層体に、図１〜図２により説明された複数の熱融着部５ｔを含む一対のエンボス部５、５及び複数の他の熱融着部６ｔを含む一対の他のエンボス部６、６が形成される。次いで、連続シート状の裏面シートが搬送ベルトに供給される。その裏面シートの一方の面にはホットメルト接着剤が塗布されている。裏面シートのその一方の面は、熱エンボス加工された積層体にロールで押し付けられる。それにより、表面シートと吸収体４と裏面シートとが積層された積層体が形成される。そして、周囲圧搾切断装置により、その積層体の周囲を、所定形状で縁取るように圧搾しつつ切断することで、図１のような外形の積層体が形成される。
【００５６】
次いで、連続シート状の一対のサイドシートが搬送ベルトに供給される。その一対のサイドシートの一方の面には一対の第１弾性体及び一対の第２弾性体が配置され、かつ、ホットメルト接着剤が塗布されている。その後、押圧装置により、積層体の両端部の一方の面が一対のサイドシートのその一方の面の内側の部分に押し付けられる。次に、折り畳み装置により、一対のサイドシートのその一方の面の外側の部分を、積層体の両端部の他方の面に、長手方向Ｌに延びる折畳み線に沿って折り畳む。その後、周囲圧搾切断装置により、その積層体の周囲を、所定形状で縁取るように圧搾しつつ切断することで、図１のような外形の軽失禁パッド１（図１）が製造される。
【００５７】
ただし、上記の製造方法は一例であり、公知の他の方法を用いることも可能である。
【００５８】
次に、本実施の形態に係る軽失禁パッド１の作用について説明する。図３は、軽失禁パッド１の作用を説明する模式図である。本軽失禁パッド１は、重複領域の長手方向Ｌの中央部に一対のエンボス部５、５を備えている。そのため、軽失禁パッド１が着用者に着用され、その長手方向Ｌの中央部が幅方向Ｗの両側から両足に挟まれることで、その長手方向Ｌの中央部における幅方向Ｗの中央部を一対のエンボス部５、５を起点として長手方向Ｌに沿って肌側に容易に隆起させることができる。それにより、隆起した幅方向Ｗの中央部、すなわち排泄口当接域ＸＡを含む部分を、排泄口に密着させて、その中央部に液状の排泄物を容易に吸収させることができる。
【００５９】
それと共に、本軽失禁パッド１は、更に、非重複領域の長手方向Ｌの中央部において、幅方向Ｗの両端部に、長手方向Ｌに伸縮可能な一対のサイドフラップ１０、１０を備えている。そのため、一対のサイドフラップ１０、１０の伸縮により、その幅方向Ｗの両端部の各々において、軽失禁パッド１における吸収体４の端縁４ｅから当該端縁４ｅに対向するサイドフラップ１０の外側の端縁１０ｅまでの部分を肌側へ起立させることができる。すなわち、軽失禁パッド１の幅方向Ｗの両端部を起立させて一種の防漏壁として機能させることができる。それにより、幅方向Ｗの中央部から表面シート２に沿って幅方向Ｗの外側へ流れ出た排泄物（例示：尿）を幅方向Ｗの両端部、すなわち軽失禁パッド１における吸収体４の両端縁４ｅから外側の部分（一対のサイドフラップ１０、１０を含む）で堰き止め、一対のエンボス部５、５に沿って長手方向Ｌに拡散させることができる。それにより、排泄物を軽失禁パッド１の広い領域で吸収でき、軽失禁パッド１の吸収性能を高めることができる。
【００６０】
そのとき、幅方向Ｗにおいて、吸収体４の端縁４ｅからサイドフラップ１０の外側の端縁までの距離ｄ２が、一対のエンボス部５、５部間の長さｄ０の１／２の長さｄ１よりも長くなっている（ｄ２＞ｄ１）。したがって、幅方向Ｗにおいて、一対のサイドフラップ１０、１０を含む軽失禁パッド１の両端部を、中央部よりも肌側へより高く起立させることができる。それにより、軽失禁パッド１の長手方向Ｌの中央部において、一対のサイドフラップ１０、１０における幅方向Ｗの外側の端部を確実に着用者の股下の肌面に密着させることができる。それに加えて、幅方向Ｗにおいて、サイドフラップ１０の外側の端部は、軽失禁パッド１の最も外側に位置するため、着用者の体勢等によって排泄口が中央部から外れても、一対のサイドフラップ１０、１０の両外側の両端部間にほぼ収めることができる。更に、起立したサイドフラップ１０の幅方向Ｗの外側の端部が内側に寄ってしまう、あるいは、サイドフラップなどが十分に起立しないといったことも生じ難くすることができる。それにより、排泄物が幅方向Ｗの外側に放出され、あるいは、防漏壁を越えてしまい、軽失禁パッド１の外側へ漏れる、ということを確実に抑制できる。
【００６１】
更に、長手方向Ｌの中央部において、幅方向Ｗでは、一対のエンボス部５、５部間の長さｄ０が比較的短い。そのため、軽失禁パッド１が着用されたとき、エンボス部５よりも内側の部分、及び、吸収体４の端縁４ｅよりも外側の部分は起立するが、エンボス部５よりも外側で吸収体４の端縁４ｅよりも内側の部分Ｐはあまり起立しない。したがって、吸収体４の高吸収性ポリマー２０の量が多く吸収速度が相対的に遅い場合でも、中央部から流れ出た排泄液を、吸収体４により吸収が終了する前に、部分Ｐの領域に一時的に貯留することができる。この場合での部分Ｐを含む領域の幅は、エンボス部５の内側及び外側の部分が直ちに起立する場合で領域の幅と比較して広い。このように部分Ｐを含む領域の幅を広く取ることで、その領域に留まる排泄物の液面を低く抑えることができ、排泄時に液面が肌に触れて着用者が不快感を覚えることを抑制できる。
【００６２】
本実施の形態では、好ましい態様として、軽失禁パッド１では、表面シート２及び裏面シート３が長手方向Ｌの中央部（股間部ＭＰ）が幅方向Ｗに括れて、一対のサイドフラップ１０、１０が括れの幅方向Ｗの両外側を覆うように一対のサイドシート７、７で形成されている。すなわち、一対のサイドフラップ１０、１０の大部分が表面シート２及び裏面シート３を含まずに一対のサイドシート７、７で形成されている。したがって、一対のサイドフラップ１０、１０を相対的に薄くすること、すなわち低剛性にすることができる。それにより、一対のサイドフラップ１０、１０を、肌側へより容易に起立させることができると共に、一対のサイドフラップ１０、１０の外側の端縁１０ｅを着用者の股下の肌面により容易に密着させることができる。よって、排泄物が幅方向Ｗの外側に放出され、あるいは、防漏壁を越えてしまい、軽失禁パッド１の外側へ漏れる、ということをより確実に抑制できる。
【００６３】
本実施の形態では、好ましい態様として、軽失禁パッド１では、軽失禁パッド１を下着に固定するための粘着部９が、平面視で幅方向Ｗにおける吸収体４の両端縁４ｅ、４ｅの各々の内側に位置し、外側に位置しない。すなわち、吸収体４の端縁４ｅから当該端縁４ｅに対向するサイドフラップ１０の外側の端縁１０ｅまでの部分を、粘着部で下着に固定させない。それゆえ、軽失禁パッド１における吸収体４の両端縁４ｅ、４ｅから外側の部分（一対のサイドフラップ１０、１０を含む）を、肌側へより容易に起立させることができる。それにより、一対のサイドフラップ１０、１０の外側の端部を着用者の股下の肌面に確実に密着させることができる。よって、排泄物が幅方向の外側に放出され、あるいは、防漏壁を越えてしまい、軽失禁パッド１の外側へ漏れる、ということをより確実に抑制できる。
【００６４】
本実施の形態では、好ましい態様として、軽失禁パッド１は吸収性コア４ａとコアラップ４ｂを備え、吸収性コア４ａは、高吸収性ポリマーを含み、パルプ繊維を含まない。そのため、吸収性コア４ａにパルプ繊維を含む場合と比較して、吸収体４の厚さを薄くすることができる。したがって、吸収体４、延いては軽失禁パッド１を変形し易くすることができる。それにより、一対のエンボス部５、５の幅方向Ｗの内側において、軽失禁パッド１の中央部を容易に肌側に隆起させることができ、液体の排泄物をその中央部により吸収させることができる。
【００６５】
本実施の形態では、好ましい態様として、軽失禁パッド１では、吸収体４の中心部の厚みが５ｍｍ以内であり、比較的薄い。そのため、吸収体４、延いては軽失禁パッド１をより変形し易くすることができる。それゆえ、一対のエンボス部５，５の幅方向Ｗの内側において、軽失禁パッド１の中央部をより容易に肌側に隆起させることができ、液体の排泄物をその中央部により吸収させることができる。
【００６６】
本実施の形態では、好ましい態様として、軽失禁パッド１では、一対のエンボス部５、５が、長手方向Ｌの中央部（股間部ＭＰ）において互いに近接するように窄まった形状を有している。すなわち、装着時に幅方向Ｗの両側に位置する両足の外形に沿った形状を有している。そのため、幅方向Ｗの両側から両足に挟まれたとき、一対のエンボス部５、５の内側において、幅方向Ｗの中央部（排泄口当接域ＸＡ）を容易に肌側に隆起させることができると共に、吸収体４の両端縁の各々から外側の部分（一対のサイドフラップ１０、１０を含む）を肌側へ容易に起立させることができる。
【００６７】
本実施の形態では、好ましい態様として、軽失禁パッド１では、吸収体４が、長手方向Ｌの中央部が窄まった形状を有している。すなわち、装着時に幅方向Ｗの両側に位置する両足の外形に沿った形状を有している。そのため、幅方向Ｗの両側から両足に挟まれたとき、吸収体４の両端縁４ｅ、４ｅの各々から外側の部分（一対のサイドフラップ１０、１０を含む）を肌側へ容易に起立させることができる。
【００６８】
本実施の形態では、好ましい態様として、軽失禁パッド１では、サイドフラップ１０における伸縮可能な領域の長手方向Ｌの長さが、エンボス部５における長手方向Ｌの長さよりも短い。例えば、サイドフラップ１０に含まれる第１弾性体１１（及び第２弾性体１２）の長さが、エンボス部５の長さよりも短い。そのため、軽失禁パッド１における長手方向Ｌのエンボス部５よりも両外側の前方部ＦＰ及び後方部ＲＰを、サイドフラップ１０による伸縮及びエンボス部５による変形の影響を受け難くすることができる。したがって、軽失禁パッド１における前方部ＦＰ及び後方部ＲＰを比較的平坦な状態にすることができる。それにより、軽失禁パッド１における前方部ＦＰ及び後方部ＲＰを身体に密着させることができ、長手方向Ｌの排泄物の漏れを抑制することができる。
【００６９】
本実施の形態では、好ましい態様として、軽失禁パッド１では、サイドフラップ１０が、長手方向Ｌに延び、幅方向Ｗの外側に位置する第１弾性体１１と、幅方向Ｗの内側に位置する第２弾性体１２と、を含んでいる。それゆえ、図３に示すように、第１弾性体１１及び第２弾性体１２の伸縮によりサイドフラップ１０が肌側へ起立するとき、サイドフラップ１０における第１弾性体１１の部分だけでなく、第２弾性体１２の部分も着用者の股下の肌面に密着させることができる。すなわち、サイドフラップ１０における第１弾性体１１及び第２弾性体１２により形成される面状の部分１０ｆを着用者の股下の肌面に密着させることができる。それにより、幅方向Ｗの外側に排泄物が放出され、漏れることをより確実に抑制できる。
【００７０】
本実施の形態では、好ましい態様として、軽失禁パッド１では、表面シート２が、長手方向Ｌに延び、幅方向Ｗに並んだ凹凸構造を備えている（図示されず）。そのため、幅方向Ｗの中央部（股間部ＭＰ）が一対のエンボス部５、５を起点として長手方向Ｌに沿って肌側により容易に隆起することができ、かつ、幅方向Ｗの吸収体４の両端縁４ｅ、４ｅから外側の部分（一対のサイドフラップを含む）を長手方向Ｌに沿って肌側へより容易に起立させることができる。それにより、排泄口に密着することができ、液体の排泄物をより吸収することができる。
【００７１】
本実施の形態では、好ましい態様として、軽失禁パッド１では、サイドフラップ１０を形成するサイドシート７が伸張倍率１．１〜１．５倍のシートで形成されている。そのため、サイドフラップ１０を長手方向Ｌに、より伸縮し易くすることができる。そのサイドフラップ１０の伸縮により、軽失禁パッド１における吸収体４の両端縁４ｅ、４ｅから外側の部分及び当該部分に隣接する一対のサイドフラップを肌側へより容易に起立させることができる。
【００７２】
図４は、吸収体４の構成を示す平面図である。
本実施の形態における好ましい態様として、吸収体４の幅方向Ｗの中心における長手方向Ｌの長さＡＬを１００％としたとき、一対のエンボス部５、５の各々における長手方向Ｌの長さＥ１Ｌは、３５〜８５％が好ましく、４０〜８０％がより好ましい。それにより、軽失禁パッド１における長手方向Ｌのエンボス部５よりも両外側の前方部ＦＰ及び後方部ＲＰについては、サイドフラップ１０による伸縮及びエンボス部５による変形の影響をより受け難くでき、身体に、より密着させることができる。一方、軽失禁パッド１における長手方向Ｌのエンボス部５の位置する中央部（股間部ＭＰ）については、幅方向Ｗの中央部を肌側に、より容易に隆起させ、吸収体４の両端縁から外側の部分（一対のサイドフラップを含む）を肌側へ、より容易に起立させることができる。
【００７３】
本実施の形態における好ましい態様として、吸収体４の長手方向Ｌの中心における幅方向Ｗの長さＡＷを１００％としたとき、一対のエンボス部５、５おいて、長手方向Ｌの中心同士における幅方向Ｗの距離Ｅ１Ｗａは２０〜５０％であり、長手方向Ｌの端縁同士における幅方向Ｗの距離Ｅ１Ｗｂは３５〜９５％であることが好ましい。距離Ｅ１Ｗａは２５〜４５％がより好ましく、距離Ｅ１Ｗｂは、４０〜９０％がより好ましい。それにより、幅方向Ｗの両側から両足に挟まれたとき、一対のエンボス部５、５の内側の、幅方向Ｗの中央部を肌側に、より容易に隆起させることができると共に、吸収体４の両端縁４ｅ、４ｅの各々から外側の部分（一対のサイドフラップを含む）を肌側へ、より容易に起立させることができる。
【００７４】
本実施の形態では、好ましい態様として、軽失禁パッド１では、一対のエンボス部５、５が、長手方向Ｌに間欠的に位置する複数の熱融着部５ｔを有し、各熱融着部５ｔはパルプ繊維を含んでいない。このように、熱融着部５ｔは、熱融着され難い吸収性材料であるパルプ繊維を含まずに形成される、すなわち熱融着され易い熱融着性繊維で作製された表面シート２やコアラップ４ｂで形成される。そのため熱融着部５ｔによる接着強度を強くすることができ、熱融着部５ｔを剥がれ難い状態にできる。よって熱融着部を長手方向Ｌに沿って連続的に溝状に形成する必要はなく、間欠的に形成された複数の熱融着部５ｔの間の領域を介して排泄物を広く拡散できる。また接着強度を高めるため熱融着部を軽失禁パッドに広く配置する必要はない。
【００７５】
排泄物（例示：尿）は、軽失禁パッド１の中心部付近（排泄口当接域ＸＡ）に排泄され、まず、幅方向Ｗの一対のエンボス部５、５に到達する。その場合、幅方向Ｗにおいて、吸収体４による排泄物の吸収の初期、例えば１回目の排泄物の吸収のときには、幅方向Ｗへ拡散する排泄物を、熱融着部５ｔで塞き止めることができる。そして、塞き止められた排泄物を、高吸収性ポリマー２０が存在する、隣り合う熱融着部５ｔ、５ｔの間の領域、すなわち非熱融着部５ｓに誘導できる。それにより、非熱融着部５ｓに排泄物を流通させることができる。そして、非熱融着部５ｓを流通した排泄物、すなわち排泄物を、一対のエンボス部５、５よりも幅方向Ｗの外側の吸収体４へ誘導できる。それにより、その排泄物を、その外側の吸収体４で吸収できる。
【００７６】
高吸収性ポリマー２０が存在する、隣り合う熱融着部５ｔ、５ｔの間の領域、すなわち非熱融着部５ｓを排泄物が流通するに連れて、非熱融着部５ｓに存在する高吸収性ポリマー２０が排泄物を吸収し、徐々に膨潤する。その結果、やがて高吸収性ポリマー２０は膨潤した高吸収性ポリマー２０となり、高吸収性ポリマー２０が非熱融着部５ｓを排泄物が流通困難になるよう閉塞する。したがって、後の吸収体４による排泄物の吸収、例えば２回目の排泄物の吸収のときには、排泄物は、複数の熱融着部５ｔと、隣り合う熱融着部５ｔ、５ｔの間の領域である非熱融着部５ｓに存在する高吸収性ポリマー２０とにより塞き止められる。その結果、排泄物を、一対のエンボス部５、５よりも幅方向Ｗの外側へ拡散できなくすることができる。それにより、排泄物を、吸収に余裕のある長手方向Ｌの前方及び後方へ拡散させることができる。また、排泄物が、一対のエンボス部５、５よりも幅方向Ｗの外側へ拡散しすぎて、幅方向Ｗの外側に漏れることを防止できる。
【００７７】
このように、吸収体において、排泄物を、初期的には主に幅方向Ｗの領域に誘導し、その後に主に長手方向Ｌの領域に誘導して、すなわち幅方向Ｗ及び長手方向Ｌにおける広い範囲に誘導して、吸収することができる。それにより、吸収体４を全体的に効率良く使用することが可能となる。その結果、例えば複数回の排泄など、排泄物の量が多い場合でも、排泄物が吸収しきれずに漏れることを防止できる。
【００７８】
本発明の吸収性物品は、上述した各実施の形態に制限されることなく、本発明の目的、趣旨を逸脱しない範囲内において、適宜組合せや変更等が可能である。
【符号の説明】
【００７９】
１    軽失禁パッド（吸収性物品）
２    表面シート
４    吸収体
５    エンボス部
１０    サイドフラップ
【図１】
2019198579.tif 000003
【図２】
2019198579.tif 000004
【図３】
2019198579.tif 000005
【図４】
2019198579.tif 000006